(57)【特許請求の範囲】
【請求項１】
主柱、間柱に対応してほぼ垂直に縦胴縁が固定され、該縦胴縁に乾式外壁材が固定されている土台部の外壁構造において、縦胴縁の厚みにより形成される土台と乾式外壁材との間の空隙を、土台部分において長尺状で複数の中空孔を有し、合成樹脂からなる下地材にて充填したことを特徴とする土台部の外壁構造。
【発明の詳細な説明】
【０００１】
【産業上の利用分野】
本発明は新築あるいは改修における躯体を下地とし、これに通気工法、防虫機能を付加した外壁を形成するための土台部の外壁構造に関するものである。
【０００２】
【従来の技術】
従来、乾式外壁材を用いて通気構造に形成した外壁は、主柱、間柱等からなる躯体上に通気性の防水シートを全面に敷設し、この防水シート上もしくは防水シート上に配設した縦胴縁上に外壁材をただ単に固定した構造であった。さらに、従来、既存壁上に新規壁を形成する改修壁においても、新築の際と同様に既存壁上に縦胴縁を配設し、この縦胴縁上に外壁材をただ単に固定した構造であった。
【０００３】
【発明が解決しようとする課題】
しかしながらこの種の構造では、躯体、もしくは既存外壁と乾式外壁材との間に縦胴縁の厚みによる空隙が形成されると共に、乾式外壁材の下端部分（土台部分）ではこの空隙の開口が形成されることになり、この開口部から壁内部に蜂や白蟻、ゴキブリ、蛾のような害虫や、ネズミなどの小動物が浸入し、躯体や外壁材に損傷を与え、しいては居住環境が悪化し衛生上好ましいものではなかった。
【０００４】
【課題を解決するための手段】
本発明はこのような点を鑑み、縦胴縁の厚みにより形成される土台と乾式外壁材との間の空隙を、土台部分において長尺状で複数の中空孔を有し、合成樹脂製の下地材にて充填した構造としたので、空気の流れ（エアサイクル）を阻害せずに、壁内に害虫や、小動物の浸入を防止することが出来、しかも、下地材は合成樹脂の成形物なので強度もあり取付施工を簡単に行うことが出来きると共に、土台部分の断熱性を向上し、結露の発生を防止出来る土台部の外壁構造を提案するものである。
【０００５】
【実施例】
以下に図面を用いて本発明に係る土台部の外壁構造について詳細に説明する。図１は上記構造を説明する斜視図、図２は断面図、図３は図２の拡大図であり、図においてＡは躯体、Ｂは縦胴縁、Ｃは水切り、Ｄはスタータ、Ｅは乾式外壁材、Ｆは基礎、Ｇは防水シート、Ｈは下地材である。
【０００６】
躯体Ａは例えば新築の構造であれば図に示すように、基礎Ｆ上に水平に配設した土台１と、土台１上に垂直に配設した主柱２と間柱３等からなる一般的な物である。勿論、図に示したこれらは、躯体Ａが木造下地からなる場合を図示したものであり、鉄骨下地からなる建築物の際は、Ｈ型鋼材や角型鋼材、もしくはリップ溝型鋼材等からなるものである。
【０００７】
縦胴縁Ｂは垂直方向に配設した主柱２および間柱３上に対応して、垂直方向に土台１から軒天まで釘等の固定具αにより配設固定するものである。縦胴縁Ｂは主に後記する乾式外壁材Ｅの取り付け部材として機能すると共に、その厚みにより、躯体Ａと乾式外壁材Ｅとの間に空隙βを形成させ、空気の流通経路として機能するものである。勿論、縦胴縁Ｂの代わりに、短尺状で複数本の横胴縁を一定のピッチで間隔（空間）を有して形成しても良いものである。
【０００８】
特に土台１部分における縦胴縁Ｂの取り付けは図に示すように、土台１の最下端、あるいはこれより上方で、後記する水切りＣによってカバーされる領域まで下端が存在する位置までとするものである。
【０００９】
また、必要に応じて図に示すように、躯体Ａと縦胴縁Ｂとの間に防水シートＧを敷設することも出来る。防水シートＧはアスファルトフェルト等の防水紙の他、通気性防水紙等からなり、水分の出入りを防止し、結露の防止、湿気の調節をおこない、躯体Ａを保護する働きがある。
【００１０】
水切りＣは例えば図４に示すように、垂直状の固定面４と、固定面４の下端を屈曲した水切り片５と、水切り片５の先端を垂下して延長した化粧片６とから、略断面を少なくともクランク状に形成した長尺物であり、一般的な水切りＣを用いるものである。
【００１１】
また、水切りＣは、図３に示すように、土台１と平行に水平方向に連続して、その固定面４を縦胴縁Ｂもしくは土台１あるいはその双方に、釘等の固定具αを介して固定するものである。さらに水切りＣは後記するスタータＤ、および乾式外壁材Ｅの配設のガイドとして機能するものであり、乾式外壁材Ｅの表面を流れ落ちる雨水等を水切れよく地面に落下させ、雨水が外壁下端より壁内部に浸入しないようにするものである。
【００１２】
さらに、水切りＣの素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、および塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等したものである。
【００１３】
また、図４に示す水切りＣは、化粧片６の下端をさらにＬ字状に屈曲した延長片７を形成したものであり、この延長片７は水切りＣの機械強度の向上の他、雨水等の水切れを良好にし、壁内部に雨水が浸入しないようすると共に、外壁の最下端部を意匠性良くカバーし、納まりを外観良く行うために形成したものである。
【００１４】
なお、固定面４の上端と延長片７の下端をそれぞれ折り返した舌片８を形成したものであり、この舌片８は水切りＣの強度の向上と、水切りＣの端部をＲ加工することによって危険防止に寄与するものである。
【００１５】
スタータＤは例えば図５に示すように、垂直状の取付片９と、取付片９の下端をコ字状に屈曲した底片１０と、底辺１０の先端を再び折り返した挿入片１１とから、略断面を少なくともＬ字状に形成した長尺物であり、一般的なスタータＤを用いるものである。その他細部の形状は、後記する乾式壁材Ｅの嵌合部分の形状に対応した形状とするものである。また、スタータＤの素材としては前記した水切りＣと同様な素材を用いて形成するものである。
【００１６】
スタータＤは、図３に示すように、水切りＣと平行に、かつ、水切りＣの固定片４上にその取付片９を配設すると共に、取付片９を縦胴縁Ｂもしくは土台１あるいはその双方に、釘等の固定具αを介して固定するものである。
【００１７】
スタータＤは後記する乾式壁材Ｅを施工する際の張り始めガイドとして機能するものであり、スタータＤの挿入片１１を乾式壁材Ｅの雌型連結部１３に挿入するものである。
【００１８】
下地材Ｈは、例えば図６に示すように、断面略長方形状の長尺枠体であり、上方から下方に向かって内部に複数の中空孔１２を形成して、上面と下面との間で通気性を確保したものである。
【００１９】
下地材Ｈは図３に示すように、縦胴縁Ｂの最下端と水切りＣの固定面４の裏面との空隙を充填するように、釘等の固定具αにより縦胴縁Ｂもしくは土台１あるいはその双方に配設固定し、土台部分において図中の矢印で示す空気の流れ（エアサイクル）を阻害せずに、壁内に害虫や、小動物の浸入を防止することが出来るものである。しかも、下地材Ｈは合成樹脂の成形物なので強度もあり取付施工を簡単に行うことが出来ると共に、土台部分の断熱性を向上し、結露の発生を防止出来るものである。勿論、下地材Ｈは水切りＣのバックアップ材としても機能するものである。
【００２０】
また、下地材Ｈの素材としては、塩化ビニル樹脂、ポリカーボネイト樹脂、ＦＲＰ樹脂、アクリル樹脂、フッ素樹脂等の合成樹脂を用いるものであり、これらを押出成形や射出成形、プレス成形等を行って所定形状に形成するものである。
【００２１】
乾式外壁材Ｅの例としては、例えば図７に示すような、板状の長尺成形物で上端に雄型連結部１３、下端に雌型連結部１４を形成した横張り状の乾式外壁材Ｅを用いるものである。なお、図では表面材１５と裏面材１６とで芯材１７をサンドイッチした金属サイディング材の例を示したが、このほかにも図示しないが窯業系サイディング材や乾式タイル、中空押出セメント板、ＡＬＣ板等の乾式外壁材Ｅを用いることが出来る。
【００２２】
次に、施工例を通して本発明に係る土台部の外壁構造について説明する。まず、図１〜図３に示す外壁を形成するには、主柱１、間柱２からなる躯体Ａに縦胴縁Ｂを垂直に、かつ必要に応じて防水シートＧを介して釘等の固定具αにて固定する。その土台１部分の納まりは図３に拡大して示す。
【００２３】
そして、この縦胴縁Ｂの下端部に下地材Ｈを水平に釘等の固定具αにて固定する。さらに、水切りＣを縦胴縁Ｂに図３に示すように水平に釘等の固定具αにて固定し、その後、スタータＤを水切りＣに図３に示すように水平に釘等の固定具αにて固定する。最後に、乾式壁材ＥをスタータＤに係合し、土台１から軒天側に向かって順次横張りして施工することにより外壁を形成するものである。
【００２４】
【その他の実施例】
以上説明したのは本発明に係る土台部の外壁構造の一実施例にすぎず、図８〜図１２に示す部材を用いた外壁構造としたり、図１３〜図１６に示すような構造とすることが出来る。
【００２５】
すなわち、図８、図９は下地材Ｈのその他の例を示す説明図であり、図８（ａ）に示す下地材Ｈは図８（ｂ）に示すように、下地材Ｈの中間部に三角形状の切り込み１８を形成し、図８（ｃ）の矢印で示すように、切り込み１８に沿って折り返すことで形成した下地材Ｈの例である。
【００２６】
図９は下地材Ｈの中空孔１２の形状の変形例を示す端面図であり、図９（ａ）は中空孔１２をレンガ積みの形状に配列し、下地材Ｈの強度を向上した例、図９（ｂ）は中空孔１２を波状、図９（ｃ）は三角形状、図９（ｄ）は円状、図９（ｅ）は６角形状（ハニカム）状に形成して、何れも強度を向上した下地材Ｈの例である。
【００２７】
図１０〜図１２は乾式外壁材Ｅのその他の例を示す説明図であり、両端に雄型連結部１３と雌型連結部１４を有し、表面材１５と裏面材１６とで合成樹脂発泡体からなる芯材１７をサンドイッチしたサイディング材の種々の例を断面図にて示したものである。なお、図１２（ｃ）に示す乾式外壁材Ｅは表面材１５として塩化ビニル樹脂やポリカーボネイト樹脂を用い、雌型連結部１４内にシール材１９を充填した例を示すものである。
【００２８】
図１４は躯体Ａと縦胴縁Ｂとの間に既存壁Ｉが存在する、いわゆる外壁改修の際の構造を示すものであり、既存壁Ｉ上から新規の乾式外壁材Ｅにて壁改修する際の構造を示した例である。なお、図では既存壁Ｉとしてモルタル壁の構造を示しているが、この他にも既存壁Ｉが角波トタンやなまこトタン、木板、木板シングル葺き、各種サイディングボード等の場合も同様な構造となる。
【００２９】
すなわち、図１４は、既存壁Ｉの上に必要に応じて鎖線で示す防水シートＧを敷設し、躯体Ａに縦胴縁Ｂを垂直に釘等の固定具αにて固定する。そして、この縦胴縁Ｂの下端部に下地材Ｈを水平に釘等の固定具αにて固定する。さらに、水切りＣを縦胴縁Ｂに水平に釘等の固定具αにて固定し、その後、スタータＤを水切りＣに水平に釘等の固定具αにて固定する。最後に、乾式壁材ＥをスタータＤに係合し、土台１から軒天側に向かって順次横張りして施工することにより改修の新規外壁を形成するものである。
【００３０】
また、この際の下地材Ｈの充填の仕方としては、図１４に示すように、下地材Ｈを縦胴縁Ｂの下端に連続的に配設したり、図１５に示すように、縦胴縁Ｂの間に配設したりすることが出来る。
【００３１】
さらに、図１６に示す構造は、改修の外壁において水切りＣを用いない構造を示すものであり、この場合はスタータＤによって、下地材Ｈと縦胴縁Ｂの下端を隠蔽するような構造とすることも出来る。勿論、この他にも、今まで示した構成要件を各々組み合わせた土台部の外壁構造とすることも出来る。
【００３２】
【発明の効果】
以上説明したように本発明に係る土台部の外壁構造によれば、縦胴縁の厚みにより形成される土台と乾式外壁材との間の空隙を、土台部分において中空孔を複数有する下地材にて充填した構造としたので、▲１▼空気の流れ（エアサイクル）を阻害せずに、壁内に害虫や、小動物の浸入を防止することが出来る。▲２▼下地材は長尺状成形物なので取付施工が簡単に行うことが出来る。▲３▼下地材が水切りのバックアップ材として機能し、土台部分の強度が向上する。▲４▼下地材は合成樹脂の成形物なので強度もあり取付施工を簡単に行うことが出来きる。▲５▼土台部分の断熱性を向上し、結露の発生を防止出来る。等の特徴、効果がある。
【図面の簡単な説明】
【図１】本発明に係る土台部の外壁構造の代表例を示す一部切り欠き斜視図である。
【図２】本発明に係る土台部の外壁構造の代表例を示す断面図である。
【図３】図２の主要部を拡大した拡大断面図である。
【図４】図１で用いられた水切りの例を示す一部切り欠き斜視図である。
【図５】図１で用いられたスタータの例を示す一部切り欠き斜視図である。
【図６】図１で用いられた下地材の例を示す一部切り欠き斜視図である。
【図７】図１で用いられた乾式外壁材の例を示す一部切り欠き斜視図である。
【図８】下地材のその他の例を示す説明図である。
【図９】下地材のその他の例を示す説明図である。
【図１０】乾式外壁材のその他の例を示す断面図である。
【図１１】乾式外壁材のその他の例を示す断面図である。
【図１２】乾式外壁材のその他の例を示す断面図である。
【図１３】本発明に係る土台部の外壁構造のその他の例を示す説明図である。
【図１４】本発明に係る土台部の外壁構造のその他の例を示す説明図である。
【図１５】本発明に係る土台部の外壁構造のその他の例を示す説明図である。
【図１６】本発明に係る土台部の外壁構造のその他の例を示す説明図である。
【符号の説明】
Ａ  躯体
Ｂ  縦胴縁
Ｃ  水切り
Ｄ  スタータ
Ｅ  乾式外壁材
Ｆ  基礎
Ｇ  防水シート
Ｈ  下地材
Ｉ  既存壁
α  固定具
β  空隙
１  土台
２  主柱
３  間柱
４  固定面
５  水切り片
６  化粧片
７  延長片
８  舌片
９  取付片
１０  底片
１１  挿入片
１２  中空孔
１３  雄型連結部
１４  雌型連結部
１５  表面材
１６  裏面材
１７  芯材
１８  切り込み
１９  シール材
【図１】
0003873226.tif 000002
【図２】
0003873226.tif 000003
【図３】
0003873226.tif 000004
【図４】
0003873226.tif 000005
【図５】
0003873226.tif 000006
【図６】
0003873226.tif 000007
【図７】
0003873226.tif 000008
【図８】
0003873226.tif 000009
【図９】
0003873226.tif 000010
【図１０】
0003873226.tif 000011
【図１１】
0003873226.tif 000012
【図１２】
0003873226.tif 000013
【図１３】
0003873226.tif 000014
【図１４】
0003873226.tif 000015
【図１５】
0003873226.tif 000016
【図１６】
0003873226.tif 000017